(57)【要約】【課題】プラグホールの内外を通気するとともに、プラグホール内に水が浸入することを防止する点火コイルを提供する。【解決手段】点火コイル１０の点火プラグとの電気的結合側は、プラグホール３内に挿入されている。通気部５０は、コイルケース２０の頭部２４の側方に形成されている。通気部５０には、保水室３１０と連通路３２０とが形成されている。保水室３１０は、シリンダヘッド２の上端面２ａに向けて下方に開口する通気口３１２を通して点火コイル１０の外部と連通している。連通路３２０は、上端面２ａから通気口３１２よりも離れる方向の保水室３１０の上方端部で保水室３１０と連通している。ゴム製の封止部材６０は、通気部５０の連通側開口３１４の内周側面５１に圧入されている。封止部材６０には、外周側面の周方向に形成された環状突部６４が通気部５０への圧入方向に複数設置されている。【選択図】図１
2008060228.tif 000002
【特許請求の範囲】
【請求項１】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有している通気部と、
弾性材で形成されており、前記保水室と前記連通路とが連通している側に開口している前記通気部の連通側開口の内周側面に圧入されて前記連通側開口を塞ぎ、前記内周側面に向けて突出する環状突部を外周側面の周方向に形成し、前記通気部への圧入方向に前記環状突部を複数設置している封止部材と、
を備える点火コイル。
【請求項２】
前記環状突部の幅は突出方向に向けて狭くなっており、前記環状突部は前記通気部への圧入方向と反対側に傾斜している請求項１に記載の点火コイル。
【請求項３】
前記保水室を形成する前記通気部の内周側面に形成され、前記通気部への前記封止部材の圧入方向で前記封止部材と当接する当接リブを備える請求項１または２に記載の点火コイル。
【請求項４】
前記コイル部を収容する前記ケース部材の収容孔と前記保水室とを仕切る隔壁に一体に形成されている通路リブに前記連通路は形成されている請求項１から３のいずれか一項に記載の点火コイル。
【請求項５】
前記保水室と連通している前記連通路の開口周囲端面は前記通気部への前記封止部材の圧入方向で前記封止部材と当接し、前記開口周囲端面に前記保水室と連通する溝通路が形成されている請求項１から４のいずれか一項に記載の点火コイル。
【請求項６】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有している通気部と、
前記保水室と前記連通路とが連通している側に開口している前記通気部の連通側開口を塞ぐ封止部材と、
前記封止部材と前記通気部とを接着している接着剤と、
を備える点火コイル。
【請求項７】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有している通気部と、
前記保水室と前記連通路とが連通している側に開口している前記通気部の連通側開口を塞ぐ封止部材と、
前記ケース部材内に充填されて前記コイル部を覆うとともに、前記通気部に前記封止部材を固定する絶縁樹脂材と、
を備える点火コイル。
【請求項８】
前記封止部材の前記連通路と向き合う裏面に、前記保水室と連通している前記連通路の開口周囲側方に延びる壁が形成されている請求項１から７のいずれか一項に記載の点火コイル。
【請求項９】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有している通気部と、
樹脂シートで形成されて熱溶着により前記通気部に取り付けられ、前記保水室と前記連通路とが連通している側に開口している前記通気部の連通側開口を塞ぐ封止部材と、
を備える点火コイル。
【請求項１０】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有している通気部と、
樹脂シートで形成されて前記通気部との取付側にラミネートされた融着材により前記通気部に熱融着されており、前記保水室と前記連通路とが連通している側に開口している前記通気部の連通側開口を塞ぐ封止部材と、
を備える点火コイル。
【請求項１１】
前記封止部材の色は前記コイルケースの色と異なっている請求項１から１０に記載の点火コイル。
【請求項１２】
前記プラグホールの外部に開口する前記ケース部材のケース開口部よび前記封止部材を覆うカバーをさらに備え、前記カバーの前記保水室側の裏面に前記封止部材の支持部を設け、前記封止部材は前記支持部に支持された状態で前記通気部の前記連通側開口を塞いでいる請求項１から５に記載の点火コイル。
【請求項１３】
前記プラグホールの外部に開口する前記ケース部材のケース開口部および前記封止部材を覆うカバーをさらに備える請求項１から１１のいずれか一項に記載の点火コイル。
【請求項１４】
前記カバーの外周縁は前記ケース開口部の外周縁よりも内側に位置し、前記カバーの表面の角部は凸曲面であり、前記カバーの高さをＨ、前記凸曲面から前記ケース開口部に延びる直線部の長さをＬとすると、Ｈ≦５ｍｍ、Ｌ≦２ｍｍである請求項１２または１３に記載の点火コイル。
【請求項１５】
前記カバーは前記ケース部材に外側から複数の階段状に嵌合しており、前記カバーの前記ケース部材との階段状の嵌合箇所に、前記ケース部材内への水の進入を防ぐＵ字状の折り返しが形成されている請求項１２から１４のいずれか一項に記載の点火コイル。
【請求項１６】
前記カバーは前記ケース部材に外側から嵌合しており、前記嵌合箇所の周方向の少なくとも一箇所に水抜き通路が形成されている請求項１２から１５のいずれか一項に記載の点火コイル。
【請求項１７】
前記内燃機関に搭載した状態で、前記嵌合箇所の下方側に前記水抜き通路が形成されている請求項１６に記載の点火コイル。
【請求項１８】
前記カバーの裏面に前記水抜き通路に向かう案内リブを形成している請求項１７に記載の点火コイル。
【請求項１９】
前記ケース開口部に前記カバーに向けて突出する嵌合突部が形成され、前記カバーに前記嵌合突部が嵌合する嵌合穴が形成されており、前記嵌合穴に前記嵌合突部が嵌合した状態で前記嵌合突部がかしめられ、前記カバーが前記ケース部材に取り付けられている請求項１２から１８のいずれか一項に記載の点火コイル。
【請求項２０】
前記カバーの色は前記ケース部材の色と異なっている請求項１２から１９のいずれか一項に記載の点火コイル。
【請求項２１】
前記通気口は、前記保水室の底部の長手方向両端に形成されている請求項１から２０のいずれか一項に記載の点火コイル。
【請求項２２】
前記保水室と連通している前記連通路の開口と前記通気口とは、ほぼ最大離隔位置に配置されている請求項１から２１のいずれか一項に記載の点火コイル。
【請求項２３】
前記通気口は、迷路構造になっている請求項１から２２のいずれか一項に記載の点火コイル。
【請求項２４】
前記通気部から前記プラグホールの開口周囲の前記上端面に向けて下方に突出する突部に前記通気口は開口している請求項１から２３のいずれか一項に記載の点火コイル。
【請求項２５】
前記保水室に充填されている多孔質または網目状の充填材をさらに備える請求項１から２４のいずれか一項に記載の点火コイル。
【請求項２６】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有し、前記通気口は前記保水室の底部の長手方向両端に形成されており、前記保水室と前記連通路とが連通している側が塞がれている通気部と、
を備える点火コイル。
【請求項２７】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有し、前記保水室と連通している前記連通路の開口と前記通気口とはほぼ最大離隔位置に配置されており、前記保水室と前記連通路とが連通している側が塞がれている通気部と、
を備える点火コイル。
【請求項２８】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、迷路構造の通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有し、前記保水室と前記連通路とが連通している側が塞がれている通気部と、
を備える点火コイル。
【請求項２９】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、前記上端面側に向けて下方に突出する突部に通気口が形成され、前記通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有し、前記通気部の前記保水室と前記連通路との連通側開口が塞がれている通気部と、
を備える点火コイル。
【請求項３０】
点火プラグとの結合側が内燃機関のプラグホールに挿入される点火コイルにおいて、
前記点火プラグに印加する高電圧を発生するコイル部と、
前記コイル部を収容し、前記プラグホールの外側で前記内燃機関に取り付けられるケース部材と、
前記ケース部材と前記内燃機関との間に取り付けられ、前記プラグホール内への水の侵入を防止するシール部材と、
前記ケース部材に設けられており、通気口を通して前記点火コイルの外部と連通し前記プラグホールの開口周囲の上端面から離れる上方に前記通気口側から延びている保水室、ならびに、前記上端面から前記通気口よりも離れる方向の前記保水室の上方端部と前記プラグホール側とを連通する連通路を有し、前記保水室と前記連通路とが連通している側が塞がれている通気部と、
前記保水室に充填されている多孔質または網目状の充填材と、
を備える点火コイル。
【請求項３１】
前記通気口は前記プラグホールの開口周囲の前記上端面に向けて下方に開口している請求項１から３０のいずれか一項に記載の点火コイル。
【請求項３２】
前記保水室の容積は約１ｃｃである請求項１から３１のいずれか一項に記載の点火コイル。
【発明の詳細な説明】
【技術分野】
【０００１】
本発明は、内燃機関の点火プラグに高電圧を加える点火コイルに関する。
【背景技術】
【０００２】
従来、内燃機関の点火プラグに高電圧を印加する点火コイルとして、点火プラグを設置するプラグホールに点火プラグとの電気的結合側を挿入しているものが知られている。このような点火コイルにおいては、プラグホール内への水等の侵入を防止するために、点火コイルのケース部材と内燃機関との間をシール部材でシールしている。ところで、周囲温度の変化、あるいは内燃機関運転中の内燃機関への被水等によりプラグホールの温度が変化すると、プラグホール内の気体が膨張および収縮を繰り返す。そこで、プラグホール内の気体の膨張および収縮によるプラグホール内の圧力変化を解消するために、プラグホールの内外を通気する通気通路を形成している点火コイルが知られている（例えば、特許文献１参照）。また、点火コイルに形成されている通気通路は、プラグホールに点火コイルの一部を挿入して点火プラグと電気的に結合するときに、プラグホール内部の空気を通気通路からプラグホールの外部に逃がし、点火コイルの取り付けを容易にする効果もある。
また、特許文献１の点火コイルでは、点火コイルの外部と連通する通気通路の通気口をプラグホールの開口周囲の上端面から上方に離れた位置に開口させ、点火コイルが被水しても通気通路に水が侵入することを防止しようとしている。
【０００３】
しかしながら、このように通気通路の通気口をプラグホールの開口周囲の上端面から上方に離しても、一旦通気口から通気通路に水が侵入すると、通気通路を通ってプラグホール内に水が侵入する恐れがある。特に、温度低下等によりプラグホール内の気体が収縮し、プラグホール内が負圧になると通気口から水を吸入しやすいという問題がある。
【０００４】
【特許文献１】特開平９−１５８８２０号公報
【発明の開示】
【発明が解決しようとする課題】
【０００５】
本発明は、上記問題を解決するためになされたものであり、プラグホールの内外を通気するとともに、プラグホール内に水が浸入することを防止する点火コイルを提供することを目的とする。
【課題を解決するための手段】
【０００６】
請求項１から３２に記載の発明によると、ケース部材に設けられた通気部は、プラグホールの開口周囲の上端面から離れる上方に通気口側から延びている保水室、ならびに、プラグホールの開口周囲の上端面から通気口よりも離れる方向の保水室の上方端部とプラグホール側とを連通する連通路を有している。そして、保水室と連通路とが連通している側に開口している通気部の連通側開口は塞がれている。
【０００７】
したがって、通気口から保水室に侵入した水は、保水室の上方端部まで上昇しないと連通路、つまりプラグホール側に流入しない。この構成によれば、保水室の容積で通気口から侵入した水を保持できるので、保水室に水が侵入しても保水室からプラグホール側への水の侵入を防止できる。
また、請求項１から５に記載の発明によると、通気部の連通側開口の内周側面に向けて封止部材の外周側面から突出する環状突部が通気部への圧入方向に複数設置され、複数の環状突部が弾性変形して封止部材が通気部に圧入されるので、封止部材の傾きを防止できる。さらに、通気部の連通側開口を封止部材の環状突部が多重にシールするので、通気部のシール性が向上する。
【０００８】
請求項２に記載の発明によると、環状突部の幅は突出方向に向けて狭くなっており、環状突部は通気部への圧入方向と反対側に傾斜している。したがって、通気部への封止部材の圧入が容易であり、かつ封止部材が通気部から脱落することを防止できる。
請求項３に記載の発明によると、保水室を形成する通気部の内周側面に形成された当接リブにより、通気部内への封止部材の落ち込みを防止できる。また、保水室内に侵入した水が当接リブに衝突することにより、保水室に侵入した水の撥ねを低減できる。したがって、保水室に侵入した水が連通路に侵入することを防止できる。
【０００９】
請求項４に記載の発明によると、コイル部を収容するケース部材の収容孔と保水室とを仕切る隔壁に一体に形成されている通路リブに連通路が形成されているので、隔壁の機械的強度が向上する。したがって、通気部に封止部材を圧入するときに、隔壁の変形を防止できる。
請求項５に記載の発明によると、封止部材の通気部への圧入方向で連通路の開口周囲端面が封止部材と当接するので、連通路の開口周囲端面により通気部内への封止部材の落ち込みを防止できる。そして、連通路の開口周囲端面に保水室と連通する溝通路が形成されているので、連通路の開口周囲端面に封止部材が当接しても、保水室と連通路とは溝通路により連通している。
【００１０】
請求項６に記載の発明によると、通気部の連通側開口を塞ぐ封止部材と通気部とを接着剤で接着しているので、簡単な形状の封止部材、例えば板状の封止部材を使用できる。
請求項７に記載の発明によると、ケース部材内に充填されてコイル部を覆う絶縁樹脂材で、通気部に封止部材を固定するので、絶縁樹脂材の充填工程と封止部材の固定工程とを兼ねることができる。したがって、点火コイルの製造工数を低減できる。
【００１１】
請求項８に記載の発明によると、封止部材の連通路と向き合う裏面に、保水室と連通している連通路の開口周囲側方に延びる壁が形成されている。したがって封止部材の裏面に結露等により水滴が付着しても、封止部材の裏面に形成された壁により連通路の開口に向かう水滴の流れを遮ることができる。
請求項９または１０に記載の発明によると、熱溶着または熱融着により、通気部の連通側開口を樹脂シートで形成された封止部材が塞ぐので、通気部への封止部材の取付作業が容易である。
【００１２】
請求項１１に記載の発明によると、封止部材の色がケース部材の色と異なっているので、封止部材の取り付けを容易に確認できる。
請求項１２から２０に記載の発明によると、ケース部材のケース開口部および封止部材をカバーで覆うので、封止部材が直接被水することを防止できる。また、封止部材がカバーに覆われ点火コイルの外部から見えないので、封止部材により塞がれている封止箇所への加工を防止できる。
【００１３】
請求項１２に記載の発明によると、カバーの保水室側の裏面に封止部材の支持部を設け、支持部に支持された状態で、封止部材は通気部の連通側開口を塞いでいる。この構成によれば、ケース部材にカバーを取り付ける工程で、通気部に封止部材を取り付けることができるので、点火コイルの製造工数を低減できる。
請求項１４に記載の発明によると、カバーの外周縁はケース部材のケース開口部の外周縁よりも内側に位置しており、カバーの表面の角部は凸曲面であり、カバーの高さＨの上限を５ｍｍにし、カバーの凸曲面からケース開口部に延びる直線部の長さをＬの上限を２ｍｍにしているので、指等がカバーに引っ掛かりにくくなっている。したがって、ケース部材からカバーを取り外すことを防止できる。
【００１４】
請求項１５に記載の発明によると、カバーはケース部材に外側から複数の階段状に嵌合しており、カバーのケース部材との階段状の嵌合箇所に、ケース部材内への水の進入を防ぐＵ字状の折り返しが形成されているので、カバーとケース部材との嵌合隙間からケース部材内に水が侵入することを防止できる。
請求項１６に記載の発明によると、カバーはケース部材に外側から嵌合しており、嵌合箇所の周方向の少なくとも一箇所に水抜き通路が形成されているので、カバーとケース部材との嵌合隙間に侵入した水が、水抜き通路から点火コイルの外部に排出される。
【００１５】
請求項１７に記載の発明によると、内燃機関に搭載した状態で、カバーとケース部材との嵌合箇所の下方側に水抜き通路が形成されているので、カバーとケース部材との嵌合隙間に侵入した水が水抜き通路に集まり、水抜き通路から排出される。
請求項１８に記載の発明によると、水抜き通路に向かう案内リブがカバーの裏面に形成されているので、カバーの裏面に付着した水滴が案内リブに沿って水抜き通路に向かい、水抜き通路から排出される。また、カバーの裏面に形成された案内リブにより、カバーの機械的強度が向上するので、反り、ねじれ等のカバーの変形を防止できる。
【００１６】
請求項１９に記載の発明によると、カバーに形成した嵌合穴にケース部材から突出する嵌合突部が嵌合した状態で嵌合突部がかしめられているので、カバーがケース部材に強固に取り付けられる。
請求項２０に記載の発明によると、カバーの色はケース部材の色と異なっているので、点火コイルのデザイン性が向上する。
【００１７】
請求項２１および２６に記載の発明によると、保水室の底部の長手方向両端に通気口が形成されているので、例えば車両が坂道走行して点火コイルが傾斜したり、点火コイルを傾斜して搭載する場合にも、長手方向両端に形成された通気口の一方から保水室に侵入した水が排出される。
請求項２２および２７に記載の発明によると、保水室と連通している連通路の開口と通気口とがほぼ最大離隔位置に配置されているので、通気口から保水室に侵入した水が連通路に侵入することを防止できる。
【００１８】
請求項２３および２８に記載の発明によると、通気口の迷路構造で水が遮られるので、通気口から保水室に水が侵入することを妨げることができる。
請求項２４および２９に記載の発明によると、通気部からプラグホールの開口周囲の上端面に向けて下方に突出する突部に通気口が形成されているので、通気口の開口周囲の面積が小さい。したがって、通気口の開口周囲の面に沿って通気口に水が侵入しにくい。
【００１９】
請求項２５および３０に記載の発明によると、多孔質または網目状の充填材が保水室に充填されているので、保水室内に侵入した水の撥ねを低減できる。したがって、保水室に侵入した水が連通路に侵入することを防止できる。
請求項３１に記載の発明によると、プラグホールの開口周囲の上端面に向けて下方に通気口が開口している。この構成によれば、通気口から上方に向けて水が侵入しないと、通気口から保水室に水が侵入しないので、保水室に水が侵入することを妨げることができる。
【発明を実施するための最良の形態】
【００２０】
以下、本発明の実施形態を図に基づいて説明する。
（第１実施形態）
本発明の第１実施例による点火コイルを図１に示す。図１に示す点火コイル１０は、内燃機関のシリンダヘッド２に気筒毎に形成されたプラグホール３内に、図示しない点火プラグとの電気的結合側およびコイル部３０を収容されている。点火コイル１０は、図１の下側で点火コイルと電気的に結合している。点火コイル１０は、高電圧を発生するコイル部３０を筒状にした所謂スティックコイルである。
【００２１】
点火コイル１０のケース部材としてのコイルケース２０は、樹脂で一体成形されており、円筒部２２と、プラグホール３の外部に露出している頭部２４とを有している。コイルケース２０の収容孔３００には、図示しない一次コイルおよび二次コイルを同心上に巻回しているコイル部３０とイグナイタ３２とが収容されている。収容孔３００には、絶縁樹脂材としてエポキシ樹脂３４が充填されている。イグナイタ３２がコイル部３０の一次コイルに印加する電圧をスイッチングすることにより、コイル部３０の二次コイルに高電圧が発生する。この高電圧が点火プラグに印加されて点火プラグに火花が発生する。
【００２２】
頭部２４から径方向外側に突出して取付部２５が形成されている。シリンダヘッド２の開口周囲の上端面２ａから突出している突部４にボルト８により取付部２５が固定されることにより、コイルケース２０はシリンダヘッド２に取り付けられている。コイルケース２０とシリンダヘッド２との間は、ゴム製のシール部材４０によりシールされている。シール部材４０はシリンダヘッド２の上端面２ａから上方に突出している環状突部６に嵌合している。頭部２４のケース開口部２６は、樹脂製のカバー３６により覆われている。カバー３６の色は、コイルケース２０の色と同じでもよいし、プラグホール３の外部に露出しているカバー３６のデザイン性を向上するために、コイルケース２０と異なる色にしてもよい。
【００２３】
通気部５０は、頭部２４の側方に形成されている。通気部５０には、保水室３１０と、保水室３１０と連通する連通路３２０とが形成されている。
図３および図４に示すように、保水室３１０は，断面を楕円状に形成されており、底部に形成された通気口３１２側から、上端面２ａから離れる上方に延びている。保水室３１０は、上端面２ａに向けて下方に開口する通気口３１２を通して点火コイル１０の外部と連通している。保水室３１０の容積は約１ｃｃに設定されている。通気口３１２は、楕円状の保水室３１０の長手方向両端の底部に形成されている。連通路３２０は、収容孔３００と保水室３１０とを仕切る隔壁２８と一体成形された通路リブ５２に形成されている。連通路３２０は、上端面２ａから通気口３１２よりも離れる方向の保水室３１０の上方端部で保水室３１０と連通し、保水室３１０との連通位置から上端面２ａに向けて下方に延びている。連通路３２０の通路面積は、保水室３１０の断面積よりも小さい。連通路３２０が保水室３１０と連通している側の通路リブ５２の開口周囲端面５３には、連通路３２０を跨いで溝５４が形成されている。
【００２４】
頭部２４の外周面とシール部材４０との間に環状通路３３０が形成されており、連通路３２０の保水室３１０との連通側と反対側の端部は環状通路３３０と連通している。連通路３２０と環状通路３３０との連通箇所に対して径方向反対側の頭部２４の外周面に軸方向に溝２９が形成されている。この溝２９により、シール部材４０と頭部２４との嵌合箇所に溝通路３３２が形成されている。溝通路３３２は、環状通路３３０とプラグホール３内とを連通している。この通路構成により、通気口３１２は、保水室３１０、連通路３２０、環状通路３３０、溝通路３３２を介してプラグホール３内と連通している。したがって、周囲温度の変化、または内燃機関の運転中の点火コイル１０への被水等によりプラグホール３内の気体が膨張および収縮しても、プラグホール３の内側と外側とを通気できる。
【００２５】
保水室３１０を形成する通気部５０の内周側面５１の周囲には、保水室３１０の深さ方向に延びる４個の当接リブ５６が形成されている。後述する封止部材６０を通気部５０に圧入するときに、４個の当接リブ５６と前述した通路リブ５２とが封止部材６０と当接することにより、封止部材６０が通気部５０内の保水室３１０に落ち込むことを防止する。また、通路リブ５２の開口周囲端面５３に形成された溝５４により溝通路３２２が形成されているので、開口周囲端面５３に封止部材６０が当接しても、保水室３１０と連通路３２０とは連通している。
【００２６】
封止部材６０は、ゴム等の弾性材で、保水室３１０の断面形状に合わせて断面楕円形の柱状に形成されている。封止部材６０は、柱状本体６２と、柱状本体６２の外周側面６３の周方向に形成された環状突部６４を、通気部５０への圧入方向に複数設置している。封止部材６０は、弾性変形することにより、保水室３１０と連通路３２０とが連通している側に開口している通気部５０の連通側開口３１４の内周側面５１に圧入されている。
【００２７】
以上説明した第１実施形態では、通気口３１２から保水室３１０、連通路３２０を通ってプラグホール３の内外を通気する通気通路の流体流れは、上端面２ａに向けて開いた逆Ｕ字状になっている。この通路形状によると、通気口３１２から保水室３１０に水が侵入しても、水が保水室３１０を上昇して連通路３２０の開口周囲端面５３に達しないと連通路３２０に流入しないので、連通路３２０への水の侵入、つまりプラグホール３への水の侵入を防止できる。さらに、通気口３１２から保水室３１０に水が侵入しても、保水室３１０の容積で水を保持できるので、保水室３１０から連通路３２０への水の侵入を防止できる。
【００２８】
また、封止部材６０の外周側面６３に周方向に環状突部６４が形成され、通気部５０への圧入方向に複数の環状突部６４が設置されているので、複数の環状突部６４が弾性変形して通気部５０の内周側面５１に圧入されるときに、封止部材６０の傾きを防止できる。さらに、通気部５０の連通側開口３１４を封止部材６０の環状突部６４が二重にシールするので、通気部５０のシール性が向上する。
また、保水室３１０と収容孔３００とを仕切る隔壁２８に通路リブ５２が一体成形されているので、隔壁２８の機械的強度が向上する。したがって、通気部５０に封止部材６０を圧入するときに、隔壁２８の変形を防止できる。
【００２９】
また、保水室３１０を形成する内周側面５１に通路リブ５２および複数の当接リブ５６が形成されているので、内周側面５１から保水室３１０の内側に突出している通路リブ５２および複数の当接リブ５６により、保水室３１０に侵入した水の撥ねが緩和される。したがって、保水室３１０に侵入した水が連通路３２０に侵入することを防止できる。
また、保水室３１０の底部の長手方向両端に通気口３１２が形成されているので、例えば車両が坂道走行して点火コイル１０が傾斜したり、点火コイル１０を傾斜して搭載する場合にも、長手方向両端に形成された通気口３１２の一方から保水室３１０に侵入した水が排出される。
【００３０】
（第２〜第１７実施形態）
本発明の第２〜第１７実施形態を以下に説明する。尚、既述の実施形態と実質的に同一構成部分に同一符号を付す。
（第２実施形態）
図５に示す第２実施形態の封止部材７０では、外周側面７３に周方向に形成され、通気部５０に取り付ける圧入方向に複数設置されている環状突部７４は、突出方向に幅が狭くなっており、圧入方向と反対側に傾斜している。したがって、通気部５０への圧入が容易であり、かつ圧入後に通気部５０から脱落しにくい。
【００３１】
（第３実施形態）
図６に示す第３実施形態では、弾性変形して通気部５０の内周側面５１に圧入されている封止部材８０の連通路３２０側の裏面８２に、連通路３２０の開口周囲側方、つまり通路リブ５２の側方に延びる断面半円形の壁８４が形成されている。封止部材８０の裏面８２に水滴等が付着しても、壁８４に遮られて水滴が連通路３２０の開口３２１に向かうことを防止できる。したがって、封止部材８０の裏面８２に付着した水滴が連通路３２０に侵入することを防止できる。
【００３２】
（第４実施形態）
図７に示す第４実施形態では、カバー３６の裏面３６ａに支持部としての突部９０が形成されている。そして、封止部材７０に形成された圧入穴９２にカバー３６の突部９０が圧入されることにより、封止部材７０がカバー３６に支持されている。封止部材７０がカバー３６に支持された状態で、カバー３６をコイルケース２０のケース開口部２６に取り付けることにより、封止部材７０は通気部５０の内周側面５１に圧入される。このように、カバー３６の組付工程で封止部材７０を通気部５０に圧入できるので、点火コイルの組付工数を低減できる。
【００３３】
（第５実施形態）
図８および図９に示す第５実施形態では、カバー３６の外周縁は、ケース開口部２６の外周縁よりも内側に位置している。さらに、カバー３６の表面の角部３７は凸曲面になっている。さらに、カバー３６の高さをＨ、角部３７からケース開口部２６に向かう直線部３８の長さをＬとすると、Ｈ≦５ｍｍ、Ｌ≦２ｍｍに設定されている。したがって、図９に示すように、指等でカバー３６を引っ掛けることが困難であるから、コイルケース２０からカバー３６が容易に取り外されることを防止できる。
【００３４】
（第６実施形態）
図１０に示す第６実施形態では、カバー３６は頭部２４に外側から嵌合している。頭部２４とカバー３６との嵌合部１００、１０２は、階段状に形成されている。そして、カバー３６の嵌合部１０２に、凹状にＵ字状の折り返し１０３が形成されている。この折り返し１０３により、頭部２４とカバー３６との嵌合隙間に侵入した水がコイルケース２０内に侵入することを防止できる。
【００３５】
（第７実施形態）
図１１に示す第７実施形態では、カバー３６は頭部２４に外側から嵌合している。そして、頭部２４とカバー３６との嵌合箇所の周方向の少なくとも一箇所に、水抜き通路３４０が形成されている。したがって、頭部２４とカバー３６との嵌合隙間に侵入した水を水抜き通路３４０から点火コイルの外部に排出できる。
【００３６】
（第８、第９実施形態）
図１２に示す第８実施形態、および図１３に示す第９実施形態では、点火コイル１０は、天地方向に対して傾斜してシリンダヘッド２に取り付けられている。そして、傾斜している点火コイル１０の頭部２４とカバー３６との嵌合箇所の下方側に水抜き通路３４０が形成されている。したがって、頭部２４とカバー３６との嵌合隙間に侵入した水が、嵌合箇所の下方側に形成された水抜き通路３４０に集まり、水抜き通路３４０から点火コイルの外部に排出される。水抜き通路３４０は、頭部２４またはカバー３６、あるいは頭部２４およびカバー３６の両方に形成してもよい。
さらに、図１３に示す第９実施形態では、カバー３６の裏面３６ａに、水抜き通路３４０に向かう案内リブ１１０が形成されている。したがって、カバー３６の裏面に付着した水滴は案内リブ１１０に案内されて水抜き通路に３４０に集まり、水抜き通路３４０から点火コイルの外部に排出される。
【００３７】
（第１０実施形態）
図１４に示す第１０実施形態では、頭部２４のケース開口部２６の四隅から、嵌合突部１２０がカバー３６側に突出している。カバー３６の嵌合突部１２０と対応する位置には、嵌合突部１２０が嵌合する嵌合穴１２２が形成されている。そして、嵌合穴１２２に嵌合突部１２０を嵌合させた後に、嵌合突部１２０を超音波または熱によりかしめることにより、頭部２４にカバー３６を強固に固定できる。
【００３８】
（第１１実施形態）
図１５に示す第１１実施形態では、保水室３１０の底部の長手方向両端に形成された通気口３１２と、保水室３１０と連通している連通路３２０の開口３２１とは、互いの距離をほぼ等しく、極力離れた最大離隔位置になるように配置されている。したがって、通気口３１２から保水室３１０に侵入した水が連通路３２０に侵入することを防止できる。
【００３９】
（第１２実施形態）
図１６に示す第１２実施形態では、保水室３１０の底部の長手方向の一端に形成された通気口３１２と、保水室３１０と連通している連通路３２０の開口３２１とは、極力離れた最大離隔位置になるように配置されている。したがって、通気口３１２から保水室３１０に侵入した水が連通路３２０に侵入することを防止できる。
【００４０】
（第１３実施形態）
図１７に示す第１３実施形態では、保水室３１０に、編目状の充填材１３０が充填されている。この構成によれば、網目状の充填材１３０が保水室３１０に侵入した水の撥ねを低減する。したがって、保水室３１０に侵入した水が保水室３１０から連通路３２０に侵入することを防止できる。網状の充填材１３０に代えて、多孔質の充填材を保水室３１０に充填してもよい。
【００４１】
（第１４実施形態）
図１８に示す第１４実施形態では、コイルケース２０を樹脂成形するときに、例えば通気口３１２を成型する上下の型の位置をずらすことにより、通気口３１２を折れ曲がった迷路構造にしている。このように、通気口３１２を迷路構造にすることにより、通気口３１２から保水室３１０に水が侵入することを妨げることができる。
【００４２】
（第１５実施形態）
図１９に示す第１５実施形態では、通気部５０からシリンダヘッド２の上端面２ａに向けて下方に突出する突部１４０に通気口３１２が形成されている。このように突部１４０に通気口３１２を形成することにより、通気口３１２の開口周囲の面積が小さくなる。したがって、通気口３１２の開口周囲の面に沿って通気口３１２に水が侵入することを妨げることができる。
【００４３】
（第１６実施形態）
図２０に示す第１６実施形態では、樹脂製の板状の封止部材１５０が通気部５０の内周側面５１に挿入され、接着剤１５２により封止部材１５０と通気部５０とが接着されている。したがって、簡単な板形状の封止部材１５０を使用できる。
【００４４】
（第１７実施形態）
図２１に示す第１７実施形態では、樹脂製の板状の封止部材１６０が通気部５０の内周側面５１に挿入され、絶縁樹脂材であるエポキシ樹脂３４が封止部材１６０と通気部５０とを固定している。収容孔３００に充填されるエポキシ樹脂３４は、隔壁２８に形成された溝１６２を通って保水室３１０に流入し、封止部材１６０と通気部５０とを固定している。このように、収容孔３００に充填されるエポキシ樹脂３４で通気部５０に封止部材１６０を固定するので、エポキシ樹脂３４の充填工程と封止部材１６０の固定工程とを兼ねることができる。したがって、点火コイルの製造工数を低減できる。
【００４５】
（第１８実施形態）
図２２に示す第１８実施形態では、超音波による熱溶着により、封止部材としての樹脂シート１８０を通気部５０に固定している。熱溶着する代わりに、樹脂シート１８０の通気部５０側に融着材をラミネートし、融着材を熱融着することにより樹脂シート１８０を通気部に固定してもよい。
【００４６】
（他の実施形態）
以上説明した上記実施形態では、コイル部３０が円筒状の点火コイルについて説明したが、本発明では、コイル部が矩形であってもよい。
また、第１、第２実施形態において、通気部５０の連通側開口３１４が封止部材で塞がれているのであれば、封止部材に環状突部を設けていない構成でもよい。また、環状突部６４、７４を形成した封止部材６０、７０が弾性変形して通気部５０の連通側開口３１４を塞いでいるのであれば、保水室３１０を形成する通気部５０の内周側面５１に当接リブ５６を形成せず、かつ通路リブ５２が封止部材６０、７０と当接しない構成でもよい。
【００４７】
また、第１実施形態では、通気口３１２は、保水室３１０の長手方向両端ではなく、一端側に形成してもよい。また、連通路３２０は、収容孔３００と保水室３１０とを仕切る隔壁２８と一体成形した通路リブ５２に形成する必要はなく、例えば図３に示す４個の当接リブ５６のいずれかの位置に形成してもよいし、通気部５０の内周側面５１から保水室３１０の内側に離れた位置に形成してもよい。
【００４８】
第１１〜第１３実施形態では、通気部５０に封止部材６０を圧入して通気部５０を塞いでいるが、通気部５０が塞がれているのであれば、封止部材６０以外の封止部材で通気部５０を塞いでもよい。
このように、本発明は、上記複数の実施形態に限定されるものではなく、その要旨を逸脱しない範囲で種々の実施形態に適用可能である。
【図面の簡単な説明】
【００４９】
【図１】本発明の第１実施形態による点火コイルを示す断面図。
【図２】第１実施形態の封止部材を示す断面図。
【図３】保水室を上方から見た模式図。
【図４】図３のIV−IV線断面斜視図。
【図５】第２実施形態の封止部材を示す断面図。
【図６】第３実施形態の封止部材を示す断面図。
【図７】第４実施形態のカバーによる封止部材の支持構造を示す断面図。
【図８】第５実施形態のカバーの構造を示す説明図。
【図９】第５実施形態のカバーの構造を示す説明図。
【図１０】第６実施形態のカバーとコイルケースとの嵌合構造を示す断面図。
【図１１】第７実施形態のカバーとコイルケースとの嵌合構造を示す断面図。
【図１２】第８実施形態のカバーとコイルケースとの嵌合箇所に形成された水抜き通路を示す説明図。
【図１３】第９実施形態のカバーの裏面構造を示す説明図。
【図１４】第１０実施形態のカバーとコイルケースとの取付構造を示す説明図。
【図１５】第１１実施形態の通気口と連通路との位置関係を示す断面図。
【図１６】第１２実施形態の通気口と連通路との位置関係を示す断面図。
【図１７】第１３実施形態の保水室に充填された充填材を示す断面図。
【図１８】第１４実施形態の通気口の迷路構造を示す断面図。
【図１９】第１５実施形態の通気口の構造を示す断面図。
【図２０】第１６実施形態の封止部材の取付構造を示す断面図。
【図２１】第１７実施形態の封止部材の取付構造を示す断面図。
【図２２】第１８実施形態の封止部材の取付構造を示す断面図。
【符号の説明】
【００５０】
２：シリンダヘッド、３：プラグホール、１０：点火コイル、２０：コイルケース（ケース部材）、２４：頭部、２６：ケース開口部、２８：隔壁、３６：カバー、３６ａ：裏面、３７：角部、３８：直線部、４０：シール部材、５０：通気部、５１：内周側面、５２：通路リブ、５３：開口周囲端面、５４：溝、５６：当接リブ、６０、７０、８０、１５０、１６０：封止部材、６４、７４：環状突部、８２：裏面、８４：壁、９０：突部（支持部）、１０３：折り返し、１１０：案内リブ、１２０：嵌合突部、１２２：嵌合穴、１３０：充填材、１４０：突部、１５２：接着剤、１８０：樹脂シート（封止部材）、３００：収容孔、３１０：保水室、３１２：通気口、３１４：連通側開口、３２０：連通路、３２１：開口、３２２：溝通路、３４０：水抜き通路
【図１】
2008060228.tif 000003
【図２】
2008060228.tif 000004
【図３】
2008060228.tif 000005
【図４】
2008060228.tif 000006
【図５】
2008060228.tif 000007
【図６】
2008060228.tif 000008
【図７】
2008060228.tif 000009
【図８】
2008060228.tif 000010
【図９】
2008060228.tif 000011
【図１０】
2008060228.tif 000012
【図１１】
2008060228.tif 000013
【図１２】
2008060228.tif 000014
【図１３】
2008060228.tif 000015
【図１４】
2008060228.tif 000016
【図１５】
2008060228.tif 000017
【図１６】
2008060228.tif 000018
【図１７】
2008060228.tif 000019
【図１８】
2008060228.tif 000020
【図１９】
2008060228.tif 000021
【図２０】
2008060228.tif 000022
【図２１】
2008060228.tif 000023
【図２２】
2008060228.tif 000024